(57)【要約】【課題】配管接続作業が容易な排水出口機構及びそれを備えた貯湯式給湯装置を提供すること。【解決手段】内部に第１排水路が形成され、排水が流入する排水流入部材と、内部に第１排水路と連通する第２排水路が形成され、排水が流出する排水流出部材と、を備え、排水流出部材には、外部配管を螺合するためのネジ加工が施されて、排水流出部材は、ネジの回転軸で回転自在に、前記排水流入部材と固定され、または、排水流出部材は、着脱自在に排水流入部材と固定されるので、排水流出部材に接続される相手部品の形状によらずに配管接続が可能となるので、配管接続等を行う設置工事の作業性を向上させることができる。【選択図】図２
2015218908.tif 000002
【特許請求の範囲】
【請求項１】
内部に第１排水路が形成され、排水が流入する排水流入部材と、
内部に前記第１排水路と連通する第２排水路が形成され、前記排水が流出する排水流出部材と、を備え、
前記排水流出部材には、外部配管を螺合するためのネジ加工が施され、
前記排水流出部材は、前記ネジの回転軸で回転自在に、前記排水流入部材と固定されることを特徴とする排水出口機構。
【請求項２】
内部に第１排水路が形成され、排水が流入する排水流入部材と、
内部に前記第１排水路と連通する第２排水路が形成され、前記排水が流出する排水流出部材と、を備え、
前記排水流出部材は、着脱自在に前記排水流入部材と固定されることを特徴とする排水出口機構。
【請求項３】
貯湯タンクと、
前記請求項１または２に記載の排水出口機構と、を備え、
前記排水出口機構は、少なくとも前記貯湯タンクの上部及び下部と配管を介して接続されていることを特徴とする貯湯式給湯装置。
【発明の詳細な説明】
【技術分野】
【０００１】
本発明は、貯湯式給湯装置に設けられる排水出口機構、及びそれを備えた貯湯式給湯装置に関するものである。
【背景技術】
【０００２】
従来、この種の貯湯式給湯装置には、給湯装置内部に滞留する湯水の排水用として、少なくとも貯湯タンクの上部及び下部と配管を介して接続された排水出口機構が設けられている（例えば、特許文献１参照）。
【０００３】
この排水出口機構には、機器の外部に湯水を排水するための外部排水配管が接続される。この外部排水配管は、主に貯湯式給湯装置の設置工事の際に排水出口機構に接続されるが、排水出口機構のうち、外部排水配管が接続される排水流出部材には、この配管を接続するためのネジ加工が施されている。
【先行技術文献】
【特許文献】
【０００４】
【特許文献１】特開２０１３−１４８３１２号公報
【発明の概要】
【発明が解決しようとする課題】
【０００５】
しかしながら、前記従来の構成では、排水流出部材が排水出口機構に完全に固定されており、また、排水出口機構は貯湯式給湯装置と一体となって動かすことができないものとなっている。したがって、外部排水配管と排水流出部材とを螺合させる際には、排水流出部材の相手部品（外部排水配管）を回転させる必要があるが、通常、排水出口機構が設けられる周囲には十分な空間はなく、例えば、相手部品がＬ字形状をしている場合には、相手部品をネジの軸回りに回転させるのが困難で、その結果、外部排水配管の接続作業が困難になるという課題を有していた。
【０００６】
また、相手部品を排水流出部材に螺合させた後に増し締めをしようとする場合には、外部排水配管の引き回し方向が変わらないように行う必要があり、その作業が困難になるという課題を有していた。
【０００７】
本発明は、前記従来の課題を解決するためのもので、外部排水配管の接続作業を容易にすることが可能な排水出口機構及びそれを備えた貯湯式給湯装置を提供することを目的とする。
【課題を解決するための手段】
【０００８】
前記従来の課題を解決するために、本発明の排水出口機構は、内部に第１排水路が形成され、排水が流入する排水流入部材と、内部に前記第１排水路と連通する第２排水路が形成され、前記排水が流出する排水流出部材と、を備え、前記排水流出部材には、外部配管を螺合するためのネジ加工が施され、前記排水流出部材は、前記ネジの回転軸で回転自在に、前記排水流入部材と固定されることを特徴とする。
【０００９】
また、本発明の排水出口機構は、内部に第１排水路が形成され、排水が流入する排水流入部材と、内部に前記第１排水路と連通する第２排水路が形成され、前記排水が流出する排水流出部材と、を備え、前記排水流出部材は、着脱自在に前記排水流入部材と固定されることを特徴とする。
【００１０】
これにより、排水流出部材に接続される相手部品の形状に左右されずに配管接続が可能となる。
【発明の効果】
【００１１】
本発明によれば、排水流出部材に接続される相手部品の形状に左右されずに配管接続が可能となるので、設置工事の作業性を向上させることができる。
【図面の簡単な説明】
【００１２】
【図１】本発明の実施の形態１における貯湯式給湯装置の概略構成図
【図２】同貯湯式給湯装置に設けられる排水出口機構の概略構成を示す断面図
【図３】同貯湯式給湯装置に設けられる排水出口機構の他の概略構成を示す斜視図
【発明を実施するための形態】
【００１３】
第１の発明は、内部に第１排水路が形成され、排水が流入する排水流入部材と、内部に前記第１排水路と連通する第２排水路が形成され、前記排水が流出する排水流出部材と、を備え、前記排水流出部材には、外部配管を螺合するためのネジ加工が施され、前記排水流出部材は、前記ネジの回転軸で回転自在に、前記排水流入部材に固定されることを特徴とする排水出口機構である。
【００１４】
これにより、排水流出部材に接続する相手部品の形状に左右されることなく、両者を螺合させることができるので、外部配管の接続作業及び増し締め作業を容易に行うことができる。
【００１５】
第２の発明は、内部に第１排水路が形成され、排水が流入する排水流入部材と、内部に前記第１排水路と連通する第２排水路が形成され、前記排水が流出する排水流出部材と、を備え、前記排水流出部材は、着脱自在に前記排水流入部材と固定されることを特徴とする排水出口機構である。
【００１６】
これにより、排水流出部材を排水流入部材から取り外した状態で、排水流出部材に外部配管を接続し、その後、排水流出部材を排水流入部材に固定することができる。よって、排水流出部材に接続する相手部品の形状に左右されることなく、両者を螺合させることができるので、外部配管の接続作業及び増し締め作業を容易に行うことができる。
【００１７】
第３の発明は、第１または第２の発明に記載の排水出口機構と、貯湯タンクと、を備え、前記排水出口機構は、少なくとも前記貯湯タンクの上部及び下部と配管を介して接続されていることを特徴とする貯湯式給湯装置である。
【００１８】
これにより、作業性が向上した貯湯式給湯装置を提供することができる。
【００１９】
以下、本発明の実施の形態について、図面を参照しながら説明する。なお、この実施の形態によって本発明が限定されるものではない。
【００２０】
（実施の形態１）
図１は、本実施の形態における貯湯式給湯装置の概略構成図、図２は、同貯湯式給湯装置の排水出口機構の概略構成を示す断面図、図３は、同貯湯式給湯装置に設けられる排水出口機構の他の概略構成を示す斜視図である。
【００２１】
本発明の貯湯式給湯装置は、貯湯ユニット１と熱源ユニット２とを備えている。貯湯ユニット１は、周囲がステンレス製の筐体によって覆われている。貯湯ユニット１の内部に
は、湯水を貯留する貯湯タンク１０が配設されている。
【００２２】
貯湯タンク１０の下部には、水道水を供給する給水管１１が接続されている。また、貯湯タンク１０の下部には、貯湯タンク１０内の湯水の排水を行うための第１排水管１３が接続されている。第１排水管１３は、給水管１１を介して間接的に貯湯タンク１０の下部に接続されていてもよい。第１排水管１３の他端は、後述する排水出口機構１５に接続される。また、第１排水管１３には、管の開閉を行う排水栓１２が設けられている。さらに貯湯タンク１０の下部には、熱源ユニット２を接続される入水配管１７が接続される。入水配管１７の途中には、貯湯タンク１０の下部の水を熱源ユニット２へと送るポンプ（図示せず）が設けられている。
【００２３】
貯湯タンク１０の上部には、他端が熱源ユニット２に接続され、熱源ユニット２で加熱された湯水が流れる出水配管１８が接続されている。貯湯タンク１０の下部、入水配管１７、熱源ユニット２、出水配管１８、貯湯タンク１０の上部は互いに接続されて沸き上げ回路を構成する。
【００２４】
熱源ユニット２は、入水配管１７から流入した湯水を加熱する機能を有する。熱源ユニット２としては、例えば、ヒートポンプ装置や燃焼機を用いることができる。
【００２５】
また、貯湯タンク１０の上部には、貯湯タンク１０の上部の湯を取り出す出湯管１９が接続されている。出湯管１９の他端は、湯水の混合を行う給湯混合装置（給湯混合弁）２３に接続される。給湯混合弁２３には、給水管１１から分岐した給水分岐管１１ａが接続される。給湯混合弁２３は、出湯管１９から流入した湯と、給水分岐管１１ａから流入した水とを混合して所定温度の湯水とし、給湯配管２２へと供給する。給湯配管２２を流れた湯水は、カラン、シャワーヘッド、浴槽等の給湯端末２２ａに供給される。
【００２６】
なお、出湯管１９が接続された位置よりも低い位置の貯湯タンク１０に接続された第２出湯管（図示せず）を設け、第２出湯管を流れる湯水と、出湯管１９を流れる湯水又は給水分岐管１１ａを流れる水と、を混合させる中温混合弁（図示せず）を設けてもよい。このとき、中温混合弁にて混合された湯水が給湯混合弁２３に供給されるように、それぞれの混合弁は配管で接続される。
【００２７】
また、貯湯タンク１０の上部には、途中に逃がし弁２０が設けられた膨張水排水管２１が接続されている。本実施の形態では、膨張水排水管２１は、出湯管１９を介して貯湯タンク１０の上部に接続されている。膨張水排水管２１は、後述する排水出口機構１５に接続されている。逃がし弁２０は、設定圧以上になると、貯湯タンク１０内の湯水を排水出口機構１５側へと流出させる機能を有する。これにより、貯湯タンク１０及び各水配管の内部に過大圧力が発生することが防止される。
【００２８】
図２は、本実施の形態における排水出口機構１５の概略構成を示す断面図である。図２に示すように、排水出口機構１５は、内部に排水路２５ａが形成され、第１排水管１３及び膨張水排水管２１から排水が流入する排水流入部材２５と、排水路２５ａと連通する排水路２４ａが内部に形成され、排水を外部配管へと流出させる排水流出部材２４とを備える。
【００２９】
排水流入部材２５には、第１排水管１３から排水が流入する第１流入口２５ｂと、膨張水排水管２１から排水が流入する第２流入口２５ｃが設けられている。第１流入口２５ｂ及び第２流入口２５ｃを介して、排水が排水路２５ａに流入する。
【００３０】
なお、排水流入部材２５は、浴槽への注湯配管の逆流水を排水することができるように
、配管によって、注湯配管と直接的または間接的に接続されていてもよい。なお、排水流入部材２５は、少なくとも、貯湯タンク１０の下部と接続されていればよい。
【００３１】
排水流出部材２４は、内部に排水路２４ａが形成されるとともに、周囲に複数の開口穴２４ｂが形成されている。複数の開口穴２４ｂは、排水流出部材２４がＺ軸回りに回転しても、常に排水路２５ａと排水路２４ａとが接続されるように設けられている。また、排水流出部材２４には、外部配管へと排水を流出させる流出口２４ｃが形成されている。排水流出部材２４は、複数の開口穴２４ｂが、排水流入部材２５の排水路２５ａ内に位置する状態で、排水流入部材２５と着脱自在に固定され、若しくは、所定軸に対して回転自在に排水流入部材２５と固定される。これにより、排水流入部材２５の排水路２５ａと、排水流出部材２４の排水路２４ａとが、開口穴２４ｂを介して常に連通している状態となる。
【００３２】
流出口２４ｃには、外部排水配管１４が接続される。流出口２４ｃには、外部排水配管１４を接続するためのネジ加工が、流出口２４ｃの開口端から所定の深さ寸法Ｌで設けられている。
【００３３】
ここで、排水出口機構１５の排水流出部材２４には、外部排水配管１４との接続を可能にするために、ネジ加工を施すことが一般的であるが、排水出口機構１５が貯湯式給湯装置に完全に固定されていると、排水出口機構１５と外部排水配管１４とを螺合させるためには、外部排水配管１４をネジの回転軸（Ｚ軸）周りに回転させる必要がある。しかしながら、例えば、外部排水配管１４がＬ字形状をしている場合には、外部排水配管１４をＺ軸回りに回転させることが可能な空間が無ければ、ネジ込み作業は困難になる。また、例えば、貯湯式給湯装置の水配管の接続が一通り完了し、その後に増し締めをしようとしても、外部排水配管１４を回すことができず、作業が困難になる。
【００３４】
したがって、外部排水配管１４と排水出口機構１５との螺合が容易な構成の排水出口機構１５を設ける必要がある。
【００３５】
本発明は、外部排水配管１４が接続される排水流出部材２４を、排水流入部材２５と着脱自在に固定することによりこれを実現している。また、本発明は、排水流出部材２４を、ネジの回転軸（Ｚ軸）回りに回転自在な状態で、排水流入部材２５と固定することによりこれを実現することとしている。なお、本実施の形態の排水出口機構１５は、排水流出部材２４を、排水流入部材２５と着脱自在であって、かつ、ネジの回転軸（Ｚ軸）回りに回転自在な状態で固定するようにしている。
【００３６】
すなわち、本実施の形態では、排水流出部材２４は、少なくとも複数の開口穴２４ｂが設けられた部分以外が略円筒状に形成され、排水流入部材２５に形成された所定の幅寸法（直径）Ｄを有する差込口２５ｄから排水路２５ａに挿入される。排水流出部材２４の流出口２４ｃとは反対側の端部には、コの字状の係合部材（止めピン）２６が係合する溝２４ｄが設けられ、また、排水流入部材２５の溝２４ｄと対向する位置には、コの字状の止めピン２６が挿入されるピン孔２５ｅが設けられている。排水流出部材２４は、排水流入部材２５に挿入された後、止めピン２６によって、排水流入部材２５と着脱自在に固定される。
【００３７】
これにより、排水流出部材２４を、工具を用いることなく、排水流入部材２５と着脱自在に固定できる。したがって、排水流出部材２４を排水出口機構から取り外した状態で外部排水配管１４と螺合させ、その後、排水流入部材２５に容易に固定し、また、取り外すことができる。その結果、排水流出部材に接続される相手部品の形状に左右されずに螺合が可能となるので、設置工事の作業性を向上させることができる。なお、排水流入部材２
５と排水流出部材２４との固定方法は、工具を用いずに着脱ができる構成であれば、特に限定されず、止めピン２６以外を用いてもよい。
【００３８】
なお、排水流出部材２４には、複数の開口穴２４ｂに対して流出口２４ｃ側と溝２４ｄ側との双方にシール部材（Ｏリング）３０を設けているので、排水流出部材２４を排水流入部材２５と着脱自在に構成しても、湯水が漏れることはない。
【００３９】
また、この構成により、排水流出部材２４が、ネジの回転軸で回転自在な状態で、排水流入部材２５に固定される。これにより、外部排水配管１４を回すことなく、排水流出部材２４を回転させることで容易に配管接続作業、増し締め作業を行うことが可能となる。
【００４０】
なお、排水流出部材２４の流出口２４ｃ側の端部は、排水流入部材２５から所定寸法Ｍだけ突出させるようにすることが好ましい。このようにすれば、所定寸法Ｍだけ突出した部分が、外部排水配管１４を螺合させるときの掴みシロとなり、排水流出部材２４と外部排水配管１４との接続を容易に行うことができる。なお、この場合には、図３に示すように、掴みシロの外表面に、所定の寸法で、その外表面が水平となる表面加工Ｎをしておくことが好ましい。これにより、掴みシロの把持が容易になる。
【００４１】
なお、図３に示すように、排水出口機構１５に、貯湯タンク１０の下部からの排水が流れる流路の開閉を行う排水栓１２を一体として設けてもよい。
【００４２】
これにより、排水栓１２を一体に備えた小型で安価な排水出口機構１５を構成することができる。
【産業上の利用可能性】
【００４３】
本発明によれば、給湯装置の設置工事における作業性を向上させることができるので、家庭用、産業用の貯湯式給湯装置に対して適用することができる。
【符号の説明】
【００４４】
１  貯湯ユニット
２  熱源ユニット
１０  貯湯タンク
１１  給水管
１２  排水栓
１３  第１排水管
１４  外部排水配管
１５  排水出口機構
１７  入水配管
１８  出水配管
１９  出湯管
２０  逃がし弁
２１  膨張水排水管
２２  給湯配管
２２ａ  給湯端末
２３  給湯混合装置（給湯混合弁）
２４  排水流出部材
２４ａ  排水路
２４ｂ  開口穴
２４ｃ  流出口
２４ｄ  溝
２５  排水流入部材
２５ａ  排水路
２５ｂ  第１流入口
２５ｃ  第２流入口
２５ｄ  差込口
２５ｅ  ピン孔
２６  係合部材（止めピン）
３０  シール部材（Ｏリング）
【図１】
2015218908.tif 000003
【図２】
2015218908.tif 000004
【図３】
2015218908.tif 000005